(57)【特許請求の範囲】
【請求項１】
適宜な広さを有する表表紙部及び裏表紙部を含む表紙部と、
前記表表紙部と前記裏表紙部との間において、開口部を有する複数の袋状部が開口部において複数並列され、この袋状部には被収納物が収納可能であり、前記袋状部の開口部間の空間が伸縮自在に形成された収納部とを備え、
前記収納部は、
第１主面部及び前記第１主面部に対向する第２主面部と、
前記第１主面部又は第２主面部の幅方向における両端に突設された、第１固定部及び第２固定部と、
最も端の第１主面部及び／又は最も端の第２主面部に連続された表紙固定部とを有し、
前記第１主面部と第２主面部とは、第１境界を挟んで連続されるとともに、第１境界の近くに隙間を形成され、
前記第１固定部は第４境界を挟んで第１主面部又は第２主面部に連続され且つ第２固定部は第３境界を挟んで第１主面部又は第２主面部に連続されるとともに、第４境界において第１固定部を連続していない第１主面部又は第２主面部側に折り曲げられたときに前記隙間に対応する第１固定部の辺に、差し込み部を形成され且つ第３境界において第２固定部を連続していない第１主面部又は第２主面部側に折り曲げられたときに前記隙間に対応する第２固定部の辺に、差し込み部を形成され、
一の第２主面部の一の第１主面部が続いた第１境界とは別の辺の第２境界を挟んで他の第１主面部が連続されるように、複数の第１主面部と第２主面部とが第１境界及び第２境界を挟んで連続して形成され、
第１主面部と第２主面部とを第１境界において谷折りして内面を対向させて袋状部の底縁部を形成し且つ第１固定部と第２固定部とを第３境界及び第４境界において谷折りして第１固定部を連続していない第１主面部又は第２主面部と対向させて袋状部の側縁部を形成するとともに、前記差し込み部を前記隙間に差し込むことにより第１主面部と第２主面部との間に袋状部を形成され、
第２境界において連続する第２主面部と第１主面部とを山折りして複数の袋状部を連続して、収納部を形成され、
最も端の第１主面部及び／又は最も端の第２主面部に、収納部を覆うように表紙固定部において表紙部を固定されたことを特徴とする収納具。
【請求項２】
前記隙間は、直線状の第１境界に沿う、直線状の細長い切り込みにより構成され、
前記差し込み部は、第１固定部及び第２固定部の第１境界に沿ってのびる辺において突き出して形成され、前記間隙に差し込まれたときに、隙間より抜け出ないようにするための抜け止め部を形成された、請求項１に記載の収納具。
【請求項３】
適宜な広さを有する表表紙部及び裏表紙部を含む表紙部と、
前記表表紙部と前記裏表紙部との間において、開口部を有する複数の袋状部が開口部において複数並列され、この袋状部には被収納物が収納可能であり、前記袋状部の開口部間の空間が伸縮自在に形成された収納部と、
前記収納部の端に形成された表紙固定部と、
表紙部の内面より前記表紙固定部とは離れた位置において収納部側に向けて突き出された、袋状部吊り部とを備え、
前記収納部は、第１主面部と底縁部を挟んで対向する第２主面部とを、底縁部及び底縁部に交差する側縁部において連続されて袋状に形成され、側縁部の間において第１主面部と第２主面部とが離れた開口縁部を形成された袋状部が、開口縁部において複数連続され、
前記袋状部吊り部は、先に袋状部の幅方向及び／又は長手方向にのびる係止部を有し、
被収納物を収納された複数の袋状部を表紙部の内面より被収納物の重みにより垂れ下がらないようにするために、係止部を袋状部に係止させて、袋状部吊り部を表紙部に連続した、収納具。
【請求項４】
前記袋状部吊り部は、表紙部を構成する表表紙部及び／又は裏表紙部の内面より突き出された、連結首部と、連結首部の先端において左右にのびる係止部とを有し、
前記係止部は、第１固定部及び／又は第２固定部により袋状部に係止された、請求項３に記載の収納具。
【請求項５】
前記第１主面部及び／又は第２主面部の幅方向における両端に突設された第１固定部及び第２固定部を、前記第１固定部及び第２固定部を形成されていない第１主面部又は第２主面部側に折り曲げて、第１主面部及び／又は第２主面部と第１固定部及び第２固定部との間に、袋状部吊り部を挟んで、係止部を袋状部に係止された、請求項３に記載の収納具。
【請求項６】
前記収納部は、
第１主面部及び前記第１主面部に対向する第２主面部と、
前記第１主面部又は第２主面部の幅方向における両端に突設された、第１固定部及び第２固定部と、
最も端の第１主面部及び／又は最も端の第２主面部に連続された表紙固定部とを有し、
前記第１主面部と第２主面部とは、第１境界を挟んで連続されるとともに、第１境界の近くに隙間を形成され、
前記第１固定部は第４境界を挟んで第１主面部又は第２主面部に連続され且つ第２固定部は第３境界を挟んで第１主面部又は第２主面部に連続されるとともに、第４境界において第１固定部を連続していない第１主面部又は第２主面部側に折り曲げられたときに前記隙間に対応する第１固定部の辺に、差し込み部を形成され且つ第３境界において第２固定部を連続していない第１主面部又は第２主面部側に折り曲げられたときに前記隙間に対応する第２固定部の辺に、差し込み部を形成され、
一の第２主面部の一の第１主面部が続いた第１境界とは別の辺の第２境界を挟んで他の第１主面部が連続されるように、複数の第１主面部と第２主面部とが第１境界及び第２境界を挟んで連続して形成され、
第１主面部と第２主面部とを第１境界において谷折りして内面を対向させて袋状部の底縁部を形成し且つ第１固定部と第２固定部とを第３境界及び第４境界において谷折りして第１固定部を連続していない第１主面部又は第２主面部と対向させて袋状部の側縁部を形成するとともに、前記差し込み部を前記隙間に差し込むことにより第１主面部と第２主面部との間に袋状部を形成され、
第２境界において連続する第２主面部と第１主面部とを山折りして複数の袋状部を連続して、収納部を形成された、請求項３に記載の収納具。
【発明の詳細な説明】
【技術分野】
【０００１】
この発明は収納具に関し、特にたとえば、カード体，小物などを収納して、保管，持ち運びするための複数のポケットよりなる収納部が形成されたカードホルダー等の収納具に関する。
【背景技術】
【０００２】
クレジットカード，名刺等の種々のカード等の薄状シート体を収納するためのケースがある。
このカード収納ケースは、主に、ケース本体とこのケース本体の内部に設けられた収納部材とから形成され、この収納部材に複数のカード体が収納される。
【０００３】
そして、カード収納体の収納部材において、複数の突出片が交互に設けられた一枚のシート体を、このシート体の長手方向に山折部と谷折部とが交互に形成されるように折り曲げ、さらに、前記複数の突出片を内側に折り込むことにより、開口部を有する複数のポケット部が形成されたものが知られている（例えば、特許文献１参照。）。
【先行技術文献】
【特許文献】
【０００４】
【特許文献１】特開２００９−１２２３３号公報
【発明の概要】
【発明が解決しようとする課題】
【０００５】
しかしながら、この従来のカードを収納する収納部材は、一枚のシート体を溶着してポケット部を形成するために、小さなポケットを溶着するときに手間がかかり製造が困難である。
【０００６】
それゆえに、この発明の主たる目的は、組み立てて製造し易く、堅牢な収納具を提供することである。
【課題を解決するための手段】
【０００７】
この発明の請求項１にかかる収納具は、適宜な広さを有する表表紙部及び裏表紙部を含む表紙部と、前記表表紙部と前記裏表紙部との間において、開口部を有する複数の袋状部が開口部において複数並列され、この袋状部には被収納物が収納可能であり、前記袋状部の開口部間の空間が伸縮自在に形成された収納部とを備え、前記収納部は、第１主面部及び前記第１主面部に対向する第２主面部と、前記第１主面部又は第２主面部の幅方向における両端に突設された、第１固定部及び第２固定部と、最も端の第１主面部及び／又は最も端の第２主面部に連続された表紙固定部とを有し、前記第１主面部と第２主面部とは、第１境界を挟んで連続されるとともに、第１境界の近くに隙間を形成され、前記第１固定部は第４境界を挟んで第１主面部又は第２主面部に連続され且つ第２固定部は第３境界を挟んで第１主面部又は第２主面部に連続されるとともに、第４境界において第１固定部を連続していない第１主面部又は第２主面部側に折り曲げられたときに前記隙間に対応する第１固定部の辺に、差し込み部を形成され且つ第３境界において第２固定部を連続していない第１主面部又は第２主面部側に折り曲げられたときに前記隙間に対応する第２固定部の辺に、差し込み部を形成され、一の第２主面部の一の第１主面部が続いた第１境界とは別の辺の第２境界を挟んで他の第１主面部が連続されるように、複数の第１主面部と第２主面部とが第１境界及び第２境界を挟んで連続して形成され、第１主面部と第２主面部とを第１境界において谷折りして内面を対向させて袋状部の底縁部を形成し且つ第１固定部と第２固定部とを第３境界及び第４境界において谷折りして第１固定部を連続していない第１主面部又は第２主面部と対向させて袋状部の側縁部を形成するとともに、前記差し込み部を前記隙間に差し込むことにより第１主面部と第２主面部との間に袋状部を形成され、第２境界において連続する第２主面部と第１主面部とを山折りして複数の袋状部を連続して、収納部を形成され、最も端の第１主面部及び／又は最も端の第２主面部に、収納部を覆うように表紙固定部において表紙部を固定されたことを特徴とする収納具である。
この発明の請求項２にかかる収納具においては、前記隙間は、直線状の第１境界に沿う、直線状の細長い切り込みにより構成され、前記差し込み部は、第１固定部及び第２固定部の第１境界に沿ってのびる辺において突き出して形成され、前記間隙に差し込まれたときに、隙間より抜け出ないようにするための抜け止め部を形成された、請求項１に記載の収納具である。
この発明の請求項３にかかる収納具は、適宜な広さを有する表表紙部及び裏表紙部を含む表紙部と、前記表表紙部と前記裏表紙部との間において、開口部を有する複数の袋状部が開口部において複数並列され、この袋状部には被収納物が収納可能であり、前記袋状部の開口部間の空間が伸縮自在に形成された収納部と、前記収納部の端に形成された表紙固定部と、表紙部の内面より前記表紙固定部とは離れた位置において収納部側に向けて突き出された、袋状部吊り部とを備え、前記収納部は、第１主面部と底縁部を挟んで対向する第２主面部とを、底縁部及び底縁部に交差する側縁部において連続されて袋状に形成され、側縁部の間において第１主面部と第２主面部とが離れた開口縁部を形成された袋状部が、開口縁部において複数連続され、前記袋状部吊り部は、先に袋状部の幅方向及び／又は長手方向にのびる係止部を有し、被収納物を収納された複数の袋状部を表紙部の内面より被収納物の重みにより垂れ下がらないようにするために、係止部を袋状部に係止させて、袋状部吊り部を表紙部に連続した、収納具である。
この発明の請求項４にかかる収納具は、前記袋状部吊り部は、表紙部を構成する表表紙部及び／又は裏表紙部の内面より突き出された、連結首部と、連結首部の先端において左右にのびる係止部とを有し、前記係止部は、第１固定部及び／又は第２固定部により袋状部に係止された、請求項３に記載の収納具である。
この発明の請求項５にかかる収納具は、前記第１主面部及び／又は第２主面部の幅方向における両端に突設された第１固定部及び第２固定部を、前記第１固定部及び第２固定部を形成されていない第１主面部又は第２主面部側に折り曲げて、第１主面部及び／又は第２主面部と第１固定部及び第２固定部との間に、袋状部吊り部を挟んで、係止部を袋状部に係止された、請求項３に記載の収納具である。
この発明の請求項６にかかる収納具は、前記収納部は、第１主面部及び前記第１主面部に対向する第２主面部と、前記第１主面部又は第２主面部の幅方向における両端に突設された、第１固定部及び第２固定部と、最も端の第１主面部及び／又は最も端の第２主面部に連続された表紙固定部とを有し、前記第１主面部と第２主面部とは、第１境界を挟んで連続されるとともに、第１境界の近くに隙間を形成され、前記第１固定部は第４境界を挟んで第１主面部又は第２主面部に連続され且つ第２固定部は第３境界を挟んで第１主面部又は第２主面部に連続されるとともに、第４境界において第１固定部を連続していない第１主面部又は第２主面部側に折り曲げられたときに前記隙間に対応する第１固定部の辺に、差し込み部を形成され且つ第３境界において第２固定部を連続していない第１主面部又は第２主面部側に折り曲げられたときに前記隙間に対応する第２固定部の辺に、差し込み部を形成され、一の第２主面部の一の第１主面部が続いた第１境界とは別の辺の第２境界を挟んで他の第１主面部が連続されるように、複数の第１主面部と第２主面部とが第１境界及び第２境界を挟んで連続して形成され、第１主面部と第２主面部とを第１境界において谷折りして内面を対向させて袋状部の底縁部を形成し且つ第１固定部と第２固定部とを第３境界及び第４境界において谷折りして第１固定部を連続していない第１主面部又は第２主面部と対向させて袋状部の側縁部を形成するとともに、前記差し込み部を前記隙間に差し込むことにより第１主面部と第２主面部との間に袋状部を形成され、第２境界において連続する第２主面部と第１主面部とを山折りして複数の袋状部を連続して、収納部を形成された、請求項３に記載の収納具である。
【発明の効果】
【０００８】
請求項１の発明によれば、適宜な広さを有する表表紙部及び裏表紙部を含む表紙部と、前記表表紙部と前記裏表紙部との間において、開口部を有する複数の袋状部が開口部において複数並列され、この袋状部には被収納物が収納可能であり、前記袋状部の開口部間の空間が伸縮自在に形成された収納部とを備え、前記収納部は、第１主面部及び前記第１主面部に対向する第２主面部と、前記第１主面部又は第２主面部の幅方向における両端に突設された、第１固定部及び第２固定部と、最も端の第１主面部及び／又は最も端の第２主面部に連続された表紙固定部とを有し、前記第１主面部と第２主面部とは、第１境界を挟んで連続されるとともに、第１境界の近くに隙間を形成され、前記第１固定部は第４境界を挟んで第１主面部又は第２主面部に連続され且つ第２固定部は第３境界を挟んで第１主面部又は第２主面部に連続されるとともに、第４境界において第１固定部を連続していない第１主面部又は第２主面部側に折り曲げられたときに前記隙間に対応する第１固定部の辺に、差し込み部を形成され且つ第３境界において第２固定部を連続していない第１主面部又は第２主面部側に折り曲げられたときに前記隙間に対応する第２固定部の辺に、差し込み部を形成され、一の第２主面部の一の第１主面部が続いた第１境界とは別の辺の第２境界を挟んで他の第１主面部が連続されるように、複数の第１主面部と第２主面部とが第１境界及び第２境界を挟んで連続して形成され、第１主面部と第２主面部とを第１境界において谷折りして内面を対向させて袋状部の底縁部を形成し且つ第１固定部と第２固定部とを第３境界及び第４境界において谷折りして第１固定部を連続していない第１主面部又は第２主面部と対向させて袋状部の側縁部を形成するとともに、前記差し込み部を前記隙間に差し込むことにより第１主面部と第２主面部との間に袋状部を形成され、第２境界において連続する第２主面部と第１主面部とを山折りして複数の袋状部を連続して、収納部を形成され、最も端の第１主面部及び／又は最も端の第２主面部に、収納部を覆うように表紙固定部において表紙部を固定されているので、組み立てて製造し易く、堅牢な収納具を提供することができる。
請求項２の発明によれば、前記隙間は、直線状の第１境界に沿う、直線状の細長い切り込みにより構成され、前記差し込み部は、第１固定部及び第２固定部の第１境界に沿ってのびる辺において突き出して形成され、前記間隙に差し込まれたときに、隙間より抜け出ないようにするための抜け止め部を形成されているので、組み立てて製造し易く、堅牢な収納具を提供することができる。
請求項３の発明によれば、適宜な広さを有する表表紙部及び裏表紙部を含む表紙部と、前記表表紙部と前記裏表紙部との間において、開口部を有する複数の袋状部が開口部において複数並列され、この袋状部には被収納物が収納可能であり、前記袋状部の開口部間の空間が伸縮自在に形成された収納部と、前記収納部の端に形成された表紙固定部と、表紙部の内面より前記表紙固定部とは離れた位置において収納部側に向けて突き出された、袋状部吊り部とを備え、前記収納部は、第１主面部と底縁部を挟んで対向する第２主面部とを、底縁部及び底縁部に交差する側縁部において連続されて袋状に形成され、側縁部の間において第１主面部と第２主面部とが離れた開口縁部を形成された袋状部が、開口縁部において複数連続され、前記袋状部吊り部は、先に袋状部の幅方向及び／又は長手方向にのびる係止部を有し、被収納物を収納された複数の袋状部を表紙部の内面より被収納物の重みにより垂れ下がらないようにするために、係止部を袋状部に係止させて、袋状部吊り部を表紙部に連続しているので、組み立てて製造し易く、堅牢な収納具を提供することができる。
請求項４の発明によれば、前記袋状部吊り部は、表紙部を構成する表表紙部及び／又は裏表紙部の内面より突き出された、連結首部と、連結首部の先端において左右にのびる係止部とを有し、前記係止部は、第１固定部及び／又は第２固定部により袋状部に係止されているので、組み立てて製造し易く、堅牢な収納具を提供することができる。
請求項５の発明によれば、前記第１主面部及び／又は第２主面部の幅方向における両端に突設された第１固定部及び第２固定部を、前記第１固定部及び第２固定部を形成されていない第１主面部又は第２主面部側に折り曲げて、第１主面部及び／又は第２主面部と第１固定部及び第２固定部との間に、袋状部吊り部を挟んで、係止部を袋状部に係止されているので、組み立てて製造し易く、堅牢な収納具を提供することができる。
請求項６の発明によれば、前記収納部は、第１主面部及び前記第１主面部に対向する第２主面部と、前記第１主面部又は第２主面部の幅方向における両端に突設された、第１固定部及び第２固定部と、最も端の第１主面部及び／又は最も端の第２主面部に連続された表紙固定部とを有し、前記第１主面部と第２主面部とは、第１境界を挟んで連続されるとともに、第１境界の近くに隙間を形成され、前記第１固定部は第４境界を挟んで第１主面部又は第２主面部に連続され且つ第２固定部は第３境界を挟んで第１主面部又は第２主面部に連続されるとともに、第４境界において第１固定部を連続していない第１主面部又は第２主面部側に折り曲げられたときに前記隙間に対応する第１固定部の辺に、差し込み部を形成され且つ第３境界において第２固定部を連続していない第１主面部又は第２主面部側に折り曲げられたときに前記隙間に対応する第２固定部の辺に、差し込み部を形成され、一の第２主面部の一の第１主面部が続いた第１境界とは別の辺の第２境界を挟んで他の第１主面部が連続されるように、複数の第１主面部と第２主面部とが第１境界及び第２境界を挟んで連続して形成され、第１主面部と第２主面部とを第１境界において谷折りして内面を対向させて袋状部の底縁部を形成し且つ第１固定部と第２固定部とを第３境界及び第４境界において谷折りして第１固定部を連続していない第１主面部又は第２主面部と対向させて袋状部の側縁部を形成するとともに、前記差し込み部を前記隙間に差し込むことにより第１主面部と第２主面部との間に袋状部を形成され、第２境界において連続する第２主面部と第１主面部とを山折りして複数の袋状部を連続して、収納部を形成されているので、組み立てて製造し易く、堅牢な収納具を提供することができる。
【０００９】
この発明の上述の目的，その他の目的，特徴及び利点は、図面を参照して行う以下の発明を実施するための最良の形態の説明から一層明らかとなろう。
【図面の簡単な説明】
【００１０】
【図１】この発明の第１の実施の形態の収納具の収納部の構造の展開状態を示す斜視図解図である。
【図２】この発明の第１の実施の形態の収納具の収容部を閉じた状態を示す斜視図解図である。
【図３Ａ】収納部材の展開状態を示す底面図解図である。
【図３Ｂ】収納部材の展開状態を示す平面図解図である。
【図４】収納部材により収納部を組み立てる方法を示す斜視図解図である。
【図５】収納部材により収納部を組み立てる方法を示す斜視図解図である。
【図６】収納部材により収納部を組み立てる方法を示す斜視図解図である。
【図７】収納部材により収納部を組み立てる方法を示す斜視図解図である。
【図８】表紙部に収納部を固定する方法を示す平面図解図である。
【図９】表紙部を組み立てる方法を示す平面図解図である。
【図１０】表紙部を組み立てる方法を示す平面図解図である。
【図１１】表紙部を組み立てる方法を示す断面図解図である。
【図１２】表紙部を組み立てる方法を示す断面図解図である。
【図１３】表紙部を組み立てる方法を示す斜視図解図である。
【図１４】この発明の第２の実施の形態の収納部材の連結構造を示す図解図であり、（Ａ）は横断面図解図であり、（Ｂ）は要部の断面図解図である。
【図１５】収納部材の表紙固定部の近傍を表す平面図解図である。
【図１６】表紙部材の平面図解図である。
【図１７Ａ】表紙部の平面図解図である。
【図１７Ｂ】表紙部の正面図解図である。
【図１８】収納部材と袋状部吊り部との連結方法を示す図解図であり、（Ａ）は固定する前の斜視図解図であり、（Ｂ）は固定したときの斜視図解図である。
【発明を実施するための形態】
【００１１】
この発明にかかる収納具１０は、表紙部２０と、表紙部２０の内面に設けられた、収納部４０とを備える。
この収納具１０は、複数のカード体等の被収納物Ｘを並列して合わせて収納するものであり、例えばクレジットカード、名刺、小物等の収納に適している。
【００１２】
表紙部２０は、比較的硬質なプラスチック板製であり、収納部４０を覆う適宜な広さを有する略方形状の表表紙部２２及び略方形状の裏表紙部２４と、表表紙部２２と裏表紙部２４との間に架設された略方形状の背表紙部２６とを含む。
【００１３】
収納部４０は、前記表表紙部２２と前記裏表紙部２４との間において、開口部４２を有する袋状部４４が連続して複数並列して設けられている。
袋状部４４は、比較的柔軟なプラスチックシート製であり、略方形の第１主面部５２と底縁部６４を挟んで第１主面部５２に対向する略方形の第２主面部５４とを、直線状の底縁部６４及び底縁部６４に交差する直線状の手前側側縁部７２並びに直線状の向こう側側縁部７６において連続されて袋状に形成され、手前側側縁部７２と向こう側側縁部７６との間において第１主面部５２と第２主面部５４とが離れた直線状の開口縁部９０を形成されている。
この袋状部４４には被収納物Ｘが収納可能であり、前記並列された複数の袋状部４４の各開口部４２間の空間が伸縮自在に形成されている。
手前側側縁部７２及び向こう側側縁部７６は垂直にのびて、水平にのびる開口縁部９０及び底縁部６４と直交ないしは交差する。
【００１４】
収納部４０は、開口部４２を有する袋状部４４が開口部４２を構成する開口縁部９０において複数並列して連続して連結されており、隣接する第１袋状部４４ａと第２袋状部４４ｂとを連結する袋状部４４の開口縁部９０の間の空間が伸縮自在に形成されたものである。袋状部４４を構成する各第１袋状部４４ａ及び第２袋状部４４ｂは同形、同大で、開口縁部９０及び底縁部６４は水平面上に一直線に並び、手前側側縁部７２及び向こう側側縁部７６は垂直面上に一直線に並ぶ。
この実施の形態においては、開口縁部９０と底縁部６４とは平行で、開口縁部９０及び底縁部６４と手前側側縁部７２及び向こう側側縁部７６とは、直交する。
手前側側縁部７２及び向こう側側縁部７６は、底縁部６４と開口縁部９０との間において、形成されている。
収納部４０が表紙部２０の表表紙部２２と裏表紙部２４との間に固定されることにより、表紙部２０の開閉に伴って収納部４０の開口部４２側が拡がる略扇子状に伸縮する。
【００１５】
前記収納部４０は、一枚のポリプロピレン等のプラスチック製シート状の収納部材５０により構成されている。
収納部材５０は、第１主面部５２及び前記第１主面部５２に対向する第２主面部５４と、前記第１主面部５２の幅方向における両端に突設された、第１固定部５６及び第２固定部５８と、最も端の第１主面部５２及び／又は最も端の第２主面部５４に連続された第１表紙固定部６０及び第２表紙固定部６２とを有している。
最も端の第１主面部５２に連設された第１表紙固定部６０は、舌状に第１主面部５２の端縁より突設されており、前記第１表紙固定部６０を形成された端とは離れた反対側の最も端の第２主面部５４に連設された第２表紙固定部６２は、台形状ないしは舌状に第２主面部５４の端縁より突設されている。
前記第１主面部５２と第２主面部５４とは、底縁部６４（第１境界６４ａ）と開口縁部９０（第２境界９０ａ）とを交互に挟んで連続される。
第１主面部５２及び第２主面部５４は略々同形、同大である。
第１主面部５２及び第２主面部５４の手前側端と向こう側端とは直線状で、各第１主面部５２の手前側側縁部７２は直線状に並び、各第２主面部５４の向こう側側縁部７６は直線状に並ぶ。
第２主面部５４の手前側端縁及び向こう側端縁は平行に形成され、第２主面部５４の手前側端縁及び向こう側端縁は、第３境界７２ａ及び第４境界７６ａと略直線状ないしは平行状に並列される。
第１表紙固定部６０は、開口縁部９０を構成する第２境界９０ａを挟んで、最も端（平面視左端，表表紙部側）の第１主面部５２に連設され、第２表紙固定部６２は、前記最も端（平面視右端，裏表紙部側）の第１表紙固定部６０を連設された端とは反対側の最も端の第２主面部５４に連設されている。
底縁部６４を構成する第１境界６４ａと、開口縁部９０を構成する第２境界９０ａとは、平行に形成されている。
又、手前側側縁部７２を構成する第３境界７２ａと、向こう側側縁部７６を構成する第４境界７６ａとは、平行に形成されている。
【００１６】
第１主面部５２及び第２主面部５４は、第１境界６４ａの近くに第１隙間６６及び第２隙間６８を形成されている。
前記第１隙間６６は、第１主面部５２に形成され、第２隙間６８は、第２主面部５４に形成されており、第１隙間６６及び第２隙間６８は、いずれも直線状の底縁部６４（第１境界６４ａ）に沿う、直線状の細長い切り込みにより構成されている。
第１主面部５２の第１隙間６６は、第１固定部５６の第１差し込み部８０を差し込まれる第１隙間６６ａと、第２固定部５８の第２差し込み部８２を差し込まれる第１隙間６６ｂとに分かれて形成されている。第１隙間６６ａと第１隙間６６ｂとは、第１主面部５２の幅方向における中央線より離れた位置で左右に分離されており、一方の第１隙間６６ａは第１固定部５６側に形成され、他方の第１隙間６６ｂは第２固定部５８側に形成されている。
第２主面部５４の第２隙間６８は、第１固定部５６の第１差し込み部８０を差し込まれる第２隙間６８ａと、第２固定部５８の第２差し込み部８２を差し込まれる第２隙間６８ｂとに分かれて形成されている。第２隙間６８ａと第２隙間６８ｂとは、第１主面部５２の幅方向における中央線より離れた位置で左右に分離されており、一方の第２隙間６８ａは第１固定部５６側に形成され、他方の第２隙間６８ｂは第２固定部５８側に形成されている。
【００１７】
前記第１固定部５６は、向こう側側縁部７６（第４境界７６ａ）を挟んで第１主面部５２に連続され、且つ第２固定部５８は、手前側側縁部７２（第３境界７２ａ）を挟んで第１主面部５２に連続される。
第１固定部５６は略方形であり、第４境界７６ａにおいて第２主面部５４側に折り曲げられたときに第２主面部５４の向こう側の領域を覆う広さを有している。第１固定部５６は、第２主面部５４の幅の半分以下の幅に形成されている。
そして、第１固定部５６は、第２主面部５４側に折り曲げられたときに前記第１隙間６６に対応する第１固定部５６の辺５６Ｓに第１差し込み部８０を形成されている。
第２固定部５８は、第３境界７２ａにおいて第２主面部５４側に折り曲げられたときに第２主面部５４の手前の領域を覆う広さを有している。第２固定部５８は、第２主面部５４の幅の半分以下の幅に形成されている。
そして、第２固定部５８は、第２主面部５４側に折り曲げられたときに前記第２隙間６８に対応する第２固定部５８の辺５８Ｓに第２差し込み部８２を形成されている。
前記第１差し込み部８０及び第２差し込み部８２は、第１固定部５６と第２固定部５８との間の第１境界６４ａに沿ってのびる直線状の辺５６Ｓ及び辺５８Ｓにおいて直交する方向に突き出して形成されている。
第１差し込み部８０及び第２差し込み部８２は、底縁部６４に沿ってのびる第１隙間６６及び第２隙間６８に対応して、第１隙間６６及び第２隙間６８に沿ってのびる。
この実施の形態においては、第１境界６４ａに沿ってのびる辺５６Ｓ及び辺５８Ｓが底縁部６４と平行な線上に位置し、第１差し込み部８０及び第２差し込み部８２は、その辺５６Ｓ及び辺５８Ｓより第２主面部５４の突き出る方向に向けて突き出ている。
辺５６Ｓ及び辺５８Ｓは、底縁部６４から第１隙間６６が離れている距離分を底縁部６４の延長線より凹んでおり、略々第１隙間６６と直線状に並ぶ。
辺５６Ｓは、向こう側側縁部７６と直交し、第１差し込み部８０の上端縁は、辺５６Ｓと平行である。辺５８Ｓは、手前側側縁部７２と直交し、第２差し込み部８２の上端縁は、辺５８Ｓと平行である。
第１差し込み部８０及び第２差し込み部８２は、前記第１隙間６６及び第２隙間６８に差し込まれたときに、第１隙間６６及び第２隙間６８より抜け出ないようにするための第１抜け止め部８４及び第２抜け止め部８６を形成されている。
第１差し込み部８０の第１抜け止め部８４は、第１隙間６６ａ及び第２隙間６８ａの両端に係止され、第２差し込み部８２の第２抜け止め部８６は、第１隙間６６ｂ及び第２隙間６８ｂの両端に係止される。第１差し込み部８０及び第２差し込み部８２の手前側から向こう側における長さは、第１隙間６６の長さと略々同じであり、第１抜け止め部８４及び第２抜け止め部８６は第１差し込み部８０及び第２差し込み部８２の主体より外方に向けて突き出ている。
而して、第１差し込み部８０及び第２差し込み部８２を第１隙間６６に差し込んだとき、第１抜け止め部８４及び第２抜け止め部８６は、第１隙間６６及び第２隙間６８の両端より外方に突き出ることにより、第１差し込み部８０及び第２差し込み部８２が第１隙間６６及び第２隙間６８から抜け出ることを防ぐ。
【００１８】
第１袋状部４４ａを構成する一の第２主面部５４の一の第１主面部５２が続いた底縁部６４を構成する第１境界６４ａとは別の辺の開口縁部９０を構成する第２境界９０ａを挟んで隣接する他の第２袋状部４４ｂを構成する第１主面部５２が連続されるように、複数の第１主面部５２と第２主面部５４とが第１境界６４ａ及び第２境界９０ａを挟んで交互に連続して並列して形成されている。
【００１９】
この実施の形態における収納部材５０について、次に説明する。
第１袋状部４４ａを構成する第１主面部５２と第２主面部５４とは略長方形の板状体であり、第１主面部５２と第２主面部５４との間の第１境界６４ａは、手前から向こう側に連続する折り曲げ自在な直線状屈曲部を構成している。
第１固定部５６は、第１主面部５２の向こう側の端において連続された略方形の板状体であり、第２固定部５８は、第２主面部５４の手前側の端において連設された略方形の板状体である。第１固定部５６は、第２主面部５４と略々同じ幅を有しており、第２固定部５８は、第２主面部５４と略々同じ幅を有している。
第１主面部５２と第１固定部５６との間の第４境界７６ａは、右側から左側に連続する折り曲げ自在な直線状屈曲部である。
第２主面部５４と第２固定部５８との間の第３境界７２ａは、右側から左側に連続する折り曲げ自在な直線状屈曲部である。
これら第１主面部５２と第２主面部５４とにより、第１袋状部４４ａを構成するよう形成されている。
【００２０】
更に、第２主面部５４の隣り、すなわち前記第１主面部５２が連設されていない側の端縁に、第２袋状部４４ｂを構成する別の隣接する第１主面部５２が並列して連設される。
そして、第１袋状部４４ａを構成する第２主面部５４と第２袋状部４４ｂを構成する第１主面部５２との間に、第１境界６４ａと平行な第２境界９０ａが形成される。
第２境界９０ａは、第１境界６４ａと同様な構造である。
更に、別の隣接する第２袋状部４４ｂを構成する第１主面部５２に、前記第１袋状部４４ａを構成する第２主面部５４が連設されていない側の隣接する端縁に別の第２袋状部４４ｂを構成する第２主面部５４が並列して連設される。
そして、第２袋状部４４ｂを構成する第１主面部５２と第２袋状部４４ｂを構成する第２主面部５４との間に別の第２境界９０ａと平行な別の第１境界６４ａが形成される。
これら別の第１主面部５２と第２主面部５４とにより、第２袋状部４４ｂを第１袋状部４４ａに隣接して構成するように形成されている。
それらに続く第１主面部５２及び第２主面部５４は、同様にして第１袋状部４４ａと第２袋状部４４ｂとが交互に形成されるように、第１主面部５２と第２主面部５４とが並ぶ。
第１主面部５２と第２主面部５４とは、略同形、同大であり、各手前側側縁部７２は直線上に一直線に並び、各向こう側側縁部７６は直線上に一直線に並ぶ。
第１境界６４ａと第２境界９０ａとは略同一の長さで、略等間隔をおいて平行に並ぶ。
【００２１】
収納部４０は、収納部材５０の第１主面部５２と第２主面部５４とを第１境界６４ａにおいて谷折りして内面を対向させて袋状部４４の底縁部６４を形成し且つ第１固定部５６と第２固定部５８とを第３境界７２ａ及び第４境界７６ａにおいて谷折りして第１主面部５２と対向させて袋状部４４の側縁部（手前側側縁部７２及び向こう側側縁部７６）を形成する。
【００２２】
収納部材５０は、第１境界６４ａにおいて谷折りして、第１主面部５２と第２主面部５４とを対向させ、第４境界７６ａにおいて谷折りして、第１固定部５６と第１主面部５２とを対向させ且つ第３境界７２ａにおいて谷折りして、第２固定部５８と第１主面部５２とを対向させる。
収納部材５０の前記第１差し込み部８０及び第２差し込み部８２は、前記第１隙間６６及び第２隙間６８に差し込む。それにより、第１主面部５２と第２主面部５４とを対向させて、第１主面部５２と第２主面部５４との間に、被収納物Ｘを収納する空間を有する袋状部４４を形成される。
前記第１隙間６６及び第２隙間６８は、第１主面部５２及び第２主面部５４の底縁部６４の近くにおいて底縁部６４に沿って形成され、前記第１差し込み部８０及び第２差し込み部８２は、第２主面部５４の第２隙間６８から第１主面部５２の第１隙間６６に跨って差し込まれて、第１主面部５２と第２主面部５４とを連結される。
【００２３】
第２境界９０ａにおいて連続する第１袋状部４４ａを構成する第２主面部５４と第２袋状部４４ｂを構成する第１主面部５２とを山折りして開口縁部９０を形成し、第１袋状部４４ａと第２袋状部４４ｂとが、開口縁部９０を構成する第２境界９０ａを介して並列される複数の袋状部４４を連続した、収納部４０を形成されている。
【００２４】
この収納部材５０には、収納部材５０の幅方向に延びる底縁部６４を構成する第１境界６４ａと開口縁部９０を構成する第２境界９０ａとが交互に連続して設けられ、これら第１境界６４ａと第２境界９０ａとをそれぞれ山折りおよび谷折りに、ジグザグに折曲げることにより、第１主面部５２と第２主面部５４とによって袋状部４４の内側面が形成される。
さらに、第１固定部５６及び第２固定部５８が第２主面部５４の対向する外側面であって、第１境界６４ａの上側に位置するように第２主面部５４側へ折込まれる。
【００２５】
このように、収納部材５０を折曲げることにより、隣り合う二つの第２境界９０ａによって袋状部４４の開口部４２が形成され、第１境界６４ａによって袋状部４４の底縁部６４が形成されて、開口部４２と底縁部６４とを有する第１袋状部４４ａと第２袋状部４４ｂとが蛇腹状に連続して複数並列して設けられた袋状部４４が成形される。
収納部４０は、複数の第１袋状部４４ａと第２袋状部４４ｂとが交互に並列された複数の袋状部４４により構成されている。
【００２６】
最も端の第１主面部５２及び／又は最も端の第２主面部５４に、収納部４０を覆うように表紙部２０を固定されている。
この実施の形態においては、最も右端の第１主面部５２の第１表紙固定部６０を表表紙部２２の内面に形成された第１嵌挿部２８に嵌挿されて固定され、最も左端の第２主面部５４の第２表紙固定部６２を裏表紙部２４の内面に形成された第２嵌挿部３０に嵌挿されて固定されている。第１嵌挿部２８及び第２嵌挿部３０は、表表紙部２２と背表紙部２６及び裏表紙部２４と背表紙部２６との間のヒンジ部（屈曲線１３０ａ及び屈曲線１３０ｃで構成される）と、略々平行に形成される。そして、第１嵌挿部２８及び第２嵌挿部３０に嵌挿されて表紙部２０に固定された収納部４０の開口部４２は、表表紙部２２と背表紙部２６及び裏表紙部２４と背表紙部２６との間のヒンジ部（屈曲線１３０ａ及び屈曲線１３０ｃで構成される）と、平行に並ぶ。
【００２７】
表紙部２０は、表紙部材１２０により構成されている。
表紙部材１２０は、表表紙部２２を構成する外側部１２２ａ及び内側部１２２ｂと、裏表紙部２４を構成する外側部１２４ａ及び内側部１２４ｂと、表表紙部２２を構成する内側部１２２ｂと裏表紙部２４を構成する内側部１２４ｂとの間に介在する背表紙部２６とを備える。
外側部１２２ａと内側部１２２ｂと背表紙部２６と外側部１２４ａと内側部１２４ｂとは屈曲線１３０で区画されている。各屈曲線１３０は、各々平行に形成されている。
【００２８】
外側部１２２ａと内側部１２２ｂとは略々同じ方形板状体であり、外側部１２４ａと内側部１２４ｂとは略々同じ方形板状体である。
背表紙部２６は外側部１２２ａなどより小さな方形板状体である。
背表紙部２６の左側に屈曲線１３０ａを介して外側部１２２ａが並列され、外側部１２２ａの左側に屈曲線１３０ｂを介して内側部１２２ｂが並列されている。
背表紙部２６の右側に屈曲線１３０ｃを介して外側部１２４ａが並列され、外側部１２４ａの右側に屈曲線１３０ｄを介して内側部１２４ｂが並列されている。
【００２９】
内側部１２２ｂは、第１表紙固定部６０を嵌挿するためのスリット状の第１嵌挿部２８を形成されている。第１嵌挿部２８は、屈曲線１３０ｂの近くに形成され、表紙部２０の開口端縁側の近くに収納部４０の開口部４２が位置するように構成されている。
内側部１２４ｂは、第２表紙固定部６２を嵌挿するためのスリット状の第２嵌挿部３０を形成されている。第２嵌挿部３０は、屈曲線１３０ｄの近くに形成され、表紙部２０の開口端縁側の近くに収納部４０の開口部４２が位置するように構成されている。
【００３０】
表表紙部２２を構成する外側部１２２ａ及び内側部１２２ｂは、裏表紙部２４に付設されたゴム紐などからなる弾力性を有するとじ紐３２を引っ掛けるための第１引っ掛け部３４ａ及び引っ掛け凹部３４ｂを形成されている。第１引っ掛け部３４ａは、表表紙部２２の外方に向けて突き出された凸部を備えており、引っ掛け凹部３４ｂは、第１引っ掛け部３４ａの周囲を囲む貫通孔を備えている。引っ掛け凹部３４ｂは、第１引っ掛け部３４ａの凸部にとじ紐３２を引っ掛け易くするための凹部を、第１引っ掛け部３４ａの凸部の周囲に構成するように形成されている。
とじ紐３２は、裏表紙部２４を構成する外側部１２４ａに穿設された貫通孔にとめられている。
【００３１】
次に、この発明にかかる別の実施の形態である収納具について、主として図１４ないし１８に基づいて説明する。
この収納具１１０は、前記実施の形態の収納具１０と比して、収納部４０を２倍に増加させている。
収納部４０は、前記実施の形態において説明した収納部材５０を２つ連結して構成されている。
収納部４０を構成する第１収納部材５０Ａは、最も右端の平面視舌状ないし台形状の第２表紙固定部６２と、第２収納部材５０Ｂの最も左端の平面視舌状の第１表紙固定部６０とを連結されている。
すなわち、第１表紙固定部６０及び第２表紙固定部６２は、収納部４０を構成する第１収納部材５０Ａと第２収納部材５０Ｂとを連結する袋状部連結部を構成している。
【００３２】
第１主面部５２と底縁部６４を挟んで第１主面部５２と対向する第２主面部５４とを、底縁部６４及び底縁部６４に交差する側縁部（手前側側縁部７２及び向こう側側縁部７６）において連続されて袋状に形成され、側縁部（手前側側縁部７２及び向こう側側縁部７６）の間において第１主面部５２と第２主面部５４とが離れた開口縁部９０を形成された袋状部４４が、開口縁部９０において複数連続された収納部４０を、２つの第１収納部材５０Ａ及び第２収納部材５０Ｂにより形成された収納部材５０は、袋状部吊り部１００により表紙部２０の内面に向けて吊り上げられている。
袋状部吊り部１００は、表紙部２０の内面より前記第１表紙固定部６０及び第２表紙固定部６２とは離れた位置において収納部４０側に向けて突き出され、先に袋状部４４の幅方向及び／又は長手方向にのびる係止部１０２を有している。
被収納物Ｘを収納された複数の袋状部４４は、表紙部２０の内面より被収納物Ｘの重みにより垂れ下がらないようにするために、袋状部吊り部１００の係止部１０２を袋状部４４に係止させて、袋状部吊り部１００を介して袋状部４４を表紙部２０に連続されている。
この実施の形態においては、前記袋状部吊り部１００は、表紙部２０を構成する表表紙部２２及び／又は裏表紙部２４の内面より突き出された、連結首部１０４と、連結首部１０４の先端において左右にのびる係止部１０２とを有している。
前記係止部１０２は、第１固定部５６及び／又は第２固定部５８により袋状部４４に係止されている。
【００３３】
この実施の形態においては、袋状部吊り部１００は、収納部材５０の袋状部４４の底縁部６４側から第２主面部５４の外側面に向けてのび、前記第１主面部５２及び／又は第２主面部５４の幅方向における両端に突設された第１固定部５６及び第２固定部５８を、前記第１固定部５６及び第２固定部５８を形成されていない第１主面部５２又は第２主面部５４側に折り曲げて、第１主面部５２及び／又は第２主面部５４と第１固定部５６及び第２固定部５８との間に、袋状部吊り部１００の係止部１０２を挟んで、係止部１０２を袋状部４４に係止されている。
【００３４】
表紙部２０は、表紙部材１２０により構成されている。
表紙部材１２０は、表表紙部２２を構成する外側部１２２ａ及び内側部１２２ｂと、裏表紙部２４を構成する外側部１２４ａ及び内側部１２４ｂと、表表紙部２２を構成する内側部１２２ｂと裏表紙部２４を構成する内側部１２４ｂとの間に介在する背表紙部２６とを備える。
外側部１２２ａと内側部１２２ｂと背表紙部２６と外側部１２４ａと内側部１２４ｂとは屈曲線１３０で区画されている。各屈曲線１３０は、各々平行に形成されている。
【００３５】
外側部１２２ａと内側部１２２ｂとは略々同じ方形板状体であり、外側部１２４ａと内側部１２４ｂとは略々同じ方形板状体である。
背表紙部２６は外側部１２２ａなどより小さな方形板状体である。
背表紙部２６の左側に屈曲線１３０ａを介して外側部１２２ａが並列され、外側部１２２ａの左側に屈曲線１３０ｂを介して内側部１２２ｂが並列されている。
背表紙部２６の右側に屈曲線１３０ｃを介して外側部１２４ａが並列され、外側部１２４ａの右側に屈曲線１３０ｄを介して内側部１２４ｂが並列されている。
裏表紙部２４を構成する外側部１２４ａに、屈曲線１３０ｅを介して、吊り部固定部１２６を連設されている。外側部１２２ａと内側部１２２ｂと外側部１２４ａと内側部１２４ｂとは、略々同じ幅と長さを備えている。
吊り部固定部１２６は、背表紙部２６の幅の略々半分かそれより短い幅を有している。
【００３６】
内側部１２２ｂは、第１表紙固定部６０を嵌挿するためのスリット状の第１嵌挿部２８を形成されている。第１嵌挿部２８は、屈曲線１３０ｂの近くに形成され、表紙部２０の開口端縁側の近くに収納部４０の開口部４２が位置するように構成されている。
内側部１２４ｂは、第２表紙固定部６２を嵌挿するためのスリット状の第２嵌挿部３０を形成されている。第２嵌挿部３０は、屈曲線１３０ｄの近くに形成され、表紙部２０の開口端縁側の近くに収納部４０の開口部４２が位置するように構成されている。
【００３７】
表表紙部２２を構成する外側部１２２ａ及び内側部１２２ｂは、裏表紙部２４に付設されたゴム紐などからなる弾力性を有するとじ紐３２を引っ掛けるための第１引っ掛け部３４ａ及び引っ掛け凹部３４ｂを形成されている。
とじ紐３２は、裏表紙部２４を構成する外側部１２４ａに穿設された貫通孔にとめられている。
【００３８】
裏表紙部２４を構成する内側部１２４ｂは、袋状部吊り部１００を突設されている。
袋状部吊り部１００は、外側部１２４ａと内側部１２４ｂとを接合して裏表紙部２４を形成したときに背表紙部２６の内面に固着されるように、外側部１２４ａと内側部１２４ｂとの境界の屈曲線１３０ｄと平行に内側部１２４ｂの端縁より突設された吊り部固定部１２６に連続して形成されている。
吊り部固定部１２６の中央より連結首部１０４が突き出され、連結首部１０４の先端に係止部１０２が突き出るように形成されている。
係止部１０２の長さ方向は、外側部１２４ａと内側部１２４ｂとの間の屈曲線１３０ｄと略平行にのび、背表紙部２６の手前側から向こう側に向けてのびるように構成されている。
【００３９】
外側部１２２ａと内側部１２２ｂとは、その間の屈曲線１３０ｂで折り曲げて、接合されて表表紙部２２を形成される。
外側部１２４ａと内側部１２４ｂとは、その間の屈曲線１３０ｄで折り曲げて、接合されて裏表紙部２４を形成される。
吊り部固定部１２６は、裏表紙部２４を構成する外側部１２４ａと内側部１２４ｂとを接合したとき、屈曲線１３０ｅで屈曲されて、背表紙部２６の内側に接合される。
連結首部１０４は、背表紙部２６の内面より表表紙部２２及び裏表紙部２４の間において、表表紙部２２及び裏表紙部２４の内面と平行に表紙部２０内に突き出される。
係止部１０２は、表表紙部２２及び裏表紙部２４の内面と平行に表紙部２０内に突き出され、背表紙部２６の手前側より向こう側にのびる。係止部１０２及び連結首部１０４は、吊り部固定部１２６が背表紙部２６の略半分かそれより短い幅を有しているので、背表紙部２６の幅方向における略中央から立ち上がる。
【００４０】
係止部１０２は、表紙部２０に固定された収納部４０の袋状部４４を構成する第２主面部５４の外面に接し合わされ、第１固定部５６及び第２固定部５８により第２主面部５４の外面との間に挟持される。
而して、吊り部固定部１２６は、表紙部２０の背表紙部２６の内面と収納部４０との間に架け渡され、吊り部固定部１２６によって収納部４０の表紙部２０からの垂れ下がりを防ぐ。
【００４１】
収納部４０の袋状部４４それぞれにカード等の被収納物Ｘが収納されていると、表紙部２０の開閉に伴って、袋状部４４の開口部４２は、開閉して、各袋状部４４に収納されて隣り合う被収納物Ｘが、密着状態から離間状態に自在に変化できる。そして、表紙部２０が開いた状態で被収納物Ｘが離間した状態においては、被収納物Ｘは識別し易く取出し易い。
【符号の説明】
【００４２】
１０，１１０  収納具
２０  表紙部
２２  表表紙部
２４  裏表紙部
２６  背表紙部
２８  第１嵌挿部
３０  第２嵌挿部
３２  とじ紐
３４ａ  第１引っ掛け部
３４ｂ  引っ掛け凹部
４０  収納部
４２  開口部
４４  袋状部
４４ａ  第１袋状部
４４ｂ  第２袋状部
５０  収納部材
５０Ａ  第１収納部材
５０Ｂ  第２収納部材
５２  第１主面部
５４  第２主面部
５６  第１固定部
５６Ｓ，５８Ｓ  辺
５８  第２固定部
６０  第１表紙固定部
６２  第２表紙固定部
６４  底縁部
６４ａ  第１境界
６６，６６ａ，６６ｂ  第１隙間
６８，６８ａ，６８ｂ  第２隙間
７２  手前側側縁部
７２ａ  第３境界
７６  向こう側側縁部
７６ａ  第４境界
８０  第１差し込み部
８２  第２差し込み部
８４  第１抜け止め部
８６  第２抜け止め部
９０  開口縁部
９０ａ  第２境界
１００  袋状部吊り部
１０２  係止部
１０４  連結首部
１２０  表紙部材
１２２ａ  表表紙部の外側部
１２２ｂ  表表紙部の内側部
１２４ａ  裏表紙部の外側部
１２４ｂ  裏表紙部の内側部
１２６  吊り部固定部
１３０，１３０ａ，１３０ｂ，１３０ｃ，１３０ｄ，１３０ｅ  屈曲線
Ｘ  被収納物
【図１】
0005484423.tif 000002
【図２】
0005484423.tif 000003
【図３Ａ】
0005484423.tif 000004
【図３Ｂ】
0005484423.tif 000005
【図４】
0005484423.tif 000006
【図５】
0005484423.tif 000007
【図６】
0005484423.tif 000008
【図７】
0005484423.tif 000009
【図８】
0005484423.tif 000010
【図９】
0005484423.tif 000011
【図１０】
0005484423.tif 000012
【図１１】
0005484423.tif 000013
【図１２】
0005484423.tif 000014
【図１３】
0005484423.tif 000015
【図１４】
0005484423.tif 000016
【図１５】
0005484423.tif 000017
【図１６】
0005484423.tif 000018
【図１７Ａ】
0005484423.tif 000019
【図１７Ｂ】
0005484423.tif 000020
【図１８】
0005484423.tif 000021